(57)【要約】【課題】  積み重ねられた用紙を下部より次々に取り出す方式の下取り給紙装置において、用紙間の摩擦の軽減を可能にする。【解決手段】  積み重ねられた用紙を下部より次々に取り出す方式の下取り給紙装置における用紙間の摩擦を軽減するため、用紙のストック部の下部のテーブルに、用紙の紙面に垂直方向である上下に振動を与える振動装置を提供する。【選択図】  図１
2015020825.tif 000002
【特許請求の範囲】
【請求項１】
積み重ねられたテーブル上の用紙を、ページ順に下取り給紙する時に前記テーブルに振動を伝達することを特徴とする下取り給紙方法とそれを利用した下取り給紙装置。
【請求項２】
前記テーブルに振動を伝達する場合に、振幅の所定の範囲の変更が可能であることを特徴とする請求項１に記載の下取り給紙方法とそれを利用した下取り給紙装置。
【請求項３】
前記テーブルに振動を伝達する場合に、周波数の所定の範囲の変更が可能であることを特徴とする請求項１または請求項２に記載の下取り給紙方法とそれを利用した下取り給紙装置。
【請求項４】
前記テーブル上において積み重ねられた用紙の出口方向でない後部に、所定の形状の傾斜金具を設置し、積み重ねられた用紙の後部を持ち上げ、傾斜させて、用紙の取り出しを容易にすることを特徴とする請求項１〜３のいずれかに記載の下取り給紙方法とそれを利用した下取り給紙装置。
【発明の詳細な説明】
【技術分野】
【０００１】
本発明は、丁合機等に用いられている積層された用紙をストック部の下側から次々に取り出すいわゆる下取り方式の下取り給紙装置に関する。
【背景技術】
【０００２】
積層された用紙をストック部の下側から次々に取り出す方式の下取り給紙装置は、動作を停止させることなく用紙を補給できるため、印刷や製本などの紙工装置では多く採用されている（例えば、特許文献１参照）。
【０００３】
従来、この種の装置のストック部の最下層では、上層の用紙の全重量が圧し掛かっているため、その摩擦や発生する静電気の影響で、用紙にキズ、コスレを生じさせる恐れがあるため、最大集積高さは１０cm程度であった。
【０００４】
ところで、特許文献２に開示された装置では、集積ガイドに振動と圧縮空気を与えることにより、重送を避ける工夫がなされている。しかし、これは重送防止の対策であり、用紙の最大集積高さの増加に対する対策ではない。
【先行技術文献】
【特許文献】
【０００５】
【特許文献１】実開平５−２２４２８号
【特許文献２】特許第４９５５１１９号
【発明の概要】
【発明が解決しようとする課題】
【０００６】
本発明は、上述した下取り給紙装置の用紙の最大集積高さの増加のために、キズ、コスレの防止対策に対応して摩擦の軽減をはかり、その有効な方法として、本下取り給紙方法を利用した下取り給紙装置として考案されたものである。
【課題を解決するための手段】
【０００７】
積み重ねられたテーブル上の用紙を、ページ順に下取り給紙する時に前記テーブルに振動を伝達することを特徴とする下取り給紙方法とそれを利用した下取り給紙装置である。
【０００８】
前記テーブルに振動を伝達する場合に、振幅の所定の範囲の変更が可能であることを特徴とする請求項１に記載の下取り給紙方法とそれを利用した下取り給紙装置である。
【０００９】
前記テーブルに振動を伝達する場合に、周波数の所定の範囲の変更が可能であることを特徴とする請求項１または請求項２に記載の下取り給紙方法とそれを利用した下取り給紙装置である。
【００１０】
前記テーブル上において積み重ねられた用紙の出口方向でない後部に、所定の形状の傾斜金具を設置し、積み重ねられた用紙の後部を持ち上げ、傾斜させて、用紙の取り出しを容易にすることを特徴とする請求項１〜３のいずれかに記載の下取り給紙方法とそれを利用した下取り給紙装置である。
【発明の効果】
【００１１】
以上説明したように、本発明によれば、摩擦や発生する静電気の影響を少なくし、下取り給紙装置の用紙の最大集積高さの増加、およびキズ、コスレの防止対策に効果がある。
【図面の簡単な説明】
【００１２】
【図１】本発明の下取り給紙装置の振動部の実施例１の斜視図である。
【図２】本発明の振幅を調節する機構の実施例２の斜視図である。
【図３】本発明の傾斜金具の実施例３の斜視図である。
【発明を実施するための形態】
【実施例１】
【００１３】
図１は本発明の下取り給紙装置１（図示せず）の振動部２の実施例１の斜視図である。図１において、対向する左側板３（図示せず）と右側板４（図示せず）との間に、下部梁部材５と上部梁部材６とを架設し、前記下部梁部材５の上面側に複数の防振部材７を介して下部ベース板８を設け、前記上部梁部材６の下面側に複数の防振部材７を介して上部ベース板９を設け、前記下部ベース板８と前記上部ベース板９とは、複数の支柱１０により所定の間隔を保持して設けられ、これらの複数の支柱１０にボールブッシュ１１を介して、前記下部ベース板８と前記上部ベース板９との間に、揺動板１２が上下方向に振動可能に支承され、この揺動板１２の下面側に左右一対の受け部材１３が固着して設けられ、前記下部ベース板８の上面に軸受け部材１４に回転自在に支承され、かつサーボモーター１５により駆動され、両端部近傍に偏心輪１６を有する一対のカム駆動軸１７（図示せず）を設け、前記一対のカム駆動軸１７の両端部近傍の各々の偏心輪１６が前記一対の受け部材１３に設けられている各々の長孔２０に支承され、前記振動板１２の上面側に前記上部梁部材６と上部ベース板９に干渉しないように、一対のテーブル１８の足部材１９が設けられ、前記サーボモーター１５に駆動されるカム駆動軸１７の偏心輪１６により、上下に振動させる振動板１２を介してテーブル１８を振動させる。実施例１の振幅の調節は、偏心量の別の偏心輪１６が組み込んである別のカム駆動軸１７を交換することにより実施する。
【００１４】
ちなみに、サーボモーター１５の回転力は、歯付きベルトにより、モーター用歯付きプーリーから、一対のカム駆動軸１７の内の一方のカム駆動軸１７に２個連設されている歯付きプーリーの片方の歯付きプーリーに伝達され、更に隣接する他方の歯付きプーリーから、一対のカム駆動軸１７の間に張架されている歯付きベルトを介して、他方のカム駆動軸１７に設けられている歯付きプーリーに回転力が伝達される。この伝達される回転力により複数の支柱１０に嵌合されているボールブッシュ１１に案内されて揺動板１２と一対の足部材１９を介して、所要の振動がテーブル１８に伝達されることになる。
【実施例２】
【００１５】
図２は、振幅を調節する機構部の実施例２の要部の斜視図である。本実施例２では、偏心円板カム２１のボス部２２の中心に長孔２０を設け、端部を４面取りしたカム駆動軸１７を前記の長孔２０に挿入し、２本の固定ボルト２４を対向な位置で締め付け、固定ナット２５を使用し任意の位置で固持する。
【００１６】
この状態でカム駆動軸１７を回転させると、偏心円板カム２１は偏心な円運動をするため、受け部材１３は上下振動する。受け部材１３には用紙を積載しているテーブル１８等が具備されている。（図１参照）
【００１７】
カム駆動軸１７の端部に設けられていて、対向配列されている固定ボルト２４のどちらかの一方を正回転させ、他方を逆回転さて各々固定ナット２５を締め付け、調整後の偏心位置を固持することにより、任意の偏心量を選定出来る。ボルトの回転量または角度によっては、微量な偏心量を得ることが出来るし、しかもリニアに変更出来る。目盛りを付ければ、直読出来る。この機構は他に見られず、本発明の特徴のひとつでもある。
【００１８】
積み重ねられた用紙間の摩擦を軽減させるための最適な振動数と振幅は用紙ごとに異なっていて、振動数は周波数変更回路を備えた電源装置を用いて電気的に変更できる。実施例１の振幅の調節は、その都度カム駆動軸１７を交換する必要があるが、実施例２では、カム駆動軸１７の交換無しで、容易に振幅を調節できる。
【実施例３】
【００１９】
また図３は、本発明の下取り給紙方法とそれを利用した下取り給紙装置において、前記テーブル１８の上に積み重ねられた用紙２９の出口方向でない後部に、所定の形状の傾斜金具３０を設置し、積み重ねられた用紙２９の後部を持ち上げ、傾斜させて、用紙２９の取り出しを容易にする機構の説明図である。
【００２０】
本発明の課題解決手段による作用は、前記テーブル１８の上において積み重ねられた用紙２９の出口方向でない後部に、すなわち搬出方向でない後部に、所定の形状の傾斜金具３０を設置し、積み重ねられた用紙２９の後部を持ち上げ傾斜させて、例えば人間が移動を始める前につま先立ちをする状態に似ているが、これは用紙２９の取り出しを容易にする。
【００２１】
以上、本発明の実施の形態を説明したが、本発明の範囲は、これに限定されるものではなく、本発明の要旨を逸脱しない範囲内において種々変更を加え得ることは勿論である。
【００２２】
また、本発明は上述の発明を実施するための最良の形態に限らず、本発明の要旨を逸脱することなく、その他種々構成を取り得ることは勿論である。
【符号の説明】
【００２３】
１  下取り給紙装置
２  振動部
３  左側板
４  右側板
５  下部梁部材
６  上部梁部材
７  防振部材
８  下部ベース板
９  上部ベース板
１０  支柱
１１  ボールブッシュ
１２  振動板（揺動板）
１３  受け部材
１４  軸受け部材
１５  サーボモーター
１６  偏心輪
１７  カム駆動軸
１８  テーブル
１９  足部材
２０  長孔
２１  偏心円板カム
２２  ボス部
２４  固定ボルト
２５  固定ナット
２６  カムフォロアー
２９  用紙
３０  傾斜金具
【図１】
2015020825.tif 000003
【図２】
2015020825.tif 000004
【図３】
2015020825.tif 000005